(57)【特許請求の範囲】
【請求項１】
二管路ダクトの通風路にそれぞれ設けられた防火ダンパを、いずれか一方の通風路の通気がその通風路にあらかじめ設定された温度以上になったとき、同時に作動させるための温度ヒューズ装置であって、
（イ）筒上端に固着され貫通孔が設けられた上蓋と筒下端を閉塞する係止具とを備えるとともに、前記二管路ダクトの第１通風路に向けて開放された切り欠きを筒壁に設けた筒状のケース、
（ロ）前記ケースの内部に嵌挿されたキャップ状の押圧部と、その押圧部の上面に固定され先端部分が前記上蓋の貫通孔に遊嵌されたストッパピンとからなるヒューズ押さえ、
（ハ）フランジを設けたパイプ状の第１感熱部及び第２感熱部が、それぞれ前記二管路ダクトの第１通風路及び第２通風路に位置するよう、それぞれの感熱部の設定温度で融解する低融点合金で外周に溶接されたヒューズシャフト、
（ニ）前記ケースの上蓋と前記ヒューズ押さえの押圧部の上面との間に装着され、前記ケースの係止具によりヒューズシャフトの第２感熱部のフランジがケースの下端に固着されたとき、前記ヒューズ押さえの押圧部を介して前記ヒューズシャフトの第１感熱部のフランジを付勢する圧縮コイルばね、
とを備えたことを特徴とする温度ヒューズ装置。
【発明の詳細な説明】
【０００１】
【発明の属する技術分野】
この発明は、図３に示した外筒と外筒内に挿通され外筒との間に外通風路を形成するとともにそれ自体が内通風路を形成する内管とからなる二重管や、図４に示した管内部に管軸方向の仕切板を備えることにより２つの通風路を形成する二孔管などの二管路ダクトの通風路にそれぞれ設けられた防火ダンパを、いずれか一方の通風路の通気がその通風路にあらかじめ設定された温度以上になると、同時に閉塞させるための温度ヒューズ装置に関する。
【０００２】
【従来の技術】
特開２０００−１４８１９号には、内外二重管の内外通風路を独立し、かつ同時に自動遮断する防火ダンパ装置が開示されている。
【０００３】
【発明が解決しようとする課題】
しかしながら、前記した従来の防火ダンパ装置では、ヒューズによる感熱部が一方の通風路にしか設置されていないので、他方の通風路の通気温度が先にその通風路に設定された温度以上になってもダンパが直ちに作動しない。
【０００４】
本発明は、いずれか一方の通風路の通気がその通風路にあらかじめ設定された温度以上になったとき、直ちに両通風路の防火ダンパを同時に閉鎖させるための温度ヒューズ装置を提供することを目的とする。
【０００５】
【課題を解決するための手段】
上記の課題を解決するため、本発明の温度ヒューズ装置は、二管路ダクトの通風路にそれぞれ設けられた防火ダンパを、いずれか一方の通風路の通気がその通風路にあらかじめ設定された温度以上になったとき、同時に作動させるための温度ヒューズ装置であって、筒上端に固着され貫通孔が設けられた上蓋と筒下端を閉塞する係止具とを備えるとともに、二管路ダクトの第１通風路に向けて開放された切り欠きを筒壁に設けた筒状のケース、ケースの内部に嵌挿されたキャップ状の押圧部と、その押圧部の上面に固定され先端部分が上蓋の貫通孔に遊嵌されたストッパピンとからなるヒューズ押さえ、フランジを設けたパイプ状の第１感熱部及び第２感熱部が、それぞれ二管路ダクトの第１通風路及び第２通風路に位置するよう、それぞれの感熱部の設定温度で融解する低融点合金で外周に溶接されたヒューズシャフト、ケースの上蓋とヒューズ押さえの押圧部の上面との間に装着され、ケースの係止具によりヒューズシャフトの第２感熱部のフランジがケースの下端に固着されたとき、ヒューズ押さえの押圧部を介してヒューズシャフトの第１感熱部のフランジを付勢する圧縮コイルばね、とを備えたことを特徴とする。
【０００６】
本発明の温度ヒューズ装置では、それぞれの通風路に感熱部が設けられているから、それぞれの通風路にその通風路に適したダンパを閉塞する通気温度を設定することができる。また、いずれか一方の通風路の通気がその通風路にあらかじめ設定された温度以上になったとき、直ちに両通風路の防火ダンパを作動させることができる。さらに、１個の温度ヒューズ装置で両通風路のダンパの閉塞を制御できるから、両通風路のそれぞれのダンパの同時作動機構が簡単かつ確実になるとともに、通風路の通気抵抗を最小限に抑えることができる。
【０００７】
【発明の実施の形態】
本発明の実施の形態を図面を参照してその詳細を説明する。図１（ａ）は本発明の温度ヒューズ装置の縦断面図、図１（ｂ）は図１（ａ）の断面と直交する面での断面図である。
【０００８】
温度ヒューズ装置１のケース２は円筒状であり、筒上端には上蓋３が固着されていて、その上蓋３には貫通孔４が穿設され、管下端の両側には切り込み５が設けられ、その切り込み５に管下端を閉塞するＵ字型のクリップ６が係止具として挿入されている。そして、二重管の内管２２内の第１通風路９に向けて開放された切り欠き７が設けられている。また、ケース２の上部には温度ヒューズ装置１を内管２２に固定するための取付部８が設けられている。
【０００９】
ケース１の内部上方には、キャップ状の押圧部１１と、その押圧部１１の上面に固定されストッパピン１２とからなるヒューズ押さえ１０が嵌挿されている。そして、ストッパピン１２の先端部分は上蓋３の貫通孔４に遊嵌され、上蓋３より突出している。
【００１０】
ケース２の内部下方には、ヒューズシャフト１４が配設されていて、そのヒューズシャフト１４の外周には、フランジを設けたパイプ状の第１感熱部１５及び第２感熱部１６が、それぞれの感熱部１５，１６の設定温度で融解する低融点合金１９で溶接されている。なお、第１感熱部１５が二重管の内管２２内の第１通風路９に、第２感熱部１６が二重管の外管と内管２２との間の第２通風路１７に位置するように配設されている。
【００１１】
そして、ケース２の上蓋３とヒューズ押さえ１０の押圧部１１の上面との間でストッパピン１２の周りには、圧縮コイルばね１８が装着されている。そして、ケース２の下端の切り込み５に挿入されたＵ字形のクリップ６により、ヒューズシャフト１４の第２感熱部１６のフランジがケース２の下端に固着されたとき、圧縮コイルばね１８の付勢力により、ヒューズ押さえ１０の押圧部１１は第１感熱部１５のフランジを下方に押しつける。なお、このときストッパピン１２の先端部分は上蓋３から突出していて、図示していない防火ダンパを作動させるレバー２０の移動を阻止している。
【００１２】
図２（ａ）は第１通風路９の通気温度が設定温度以上となり、第１感熱部１５の低融点合金１９が溶解した状態を示す温度ヒューズ装置１の断面図、図２（ｂ）は第２通風路１７の通気温度が設定温度以上となり、第２感熱部１６の低融点合金１９が溶解した状態を示す温度ヒューズ装置１の断面図である。
【００１３】
いずれの場合も、いずれか一方の通風路の通気がその通風路にあらかじめ設定された温度以上になると、その通風路の低融点合金が溶解して、その通風路の感熱部とヒューズシャフト１４との連結が解除されるので、圧縮コイルばね１８の付勢力によりストッパピン１２の先端はケース２内に埋没し、レバー２０の移動を可能とし、防火ダンパを作動させて両通風路を同時に遮断する。
【００１４】
図３は外管２１と外管２１内に挿通され外管２１との間に外通風路１７を形成するとともにそれ自体が内通風路９を形成する内管２２とからなる二重管２３で構成された二管路ダクトに本発明の温度ヒューズ装置１を取り付けた状態を示す断面図である。
【００１５】
図４は管内部に管軸方向の仕切板２４を備えることにより２つの通風路２５，２６を形成する二孔管２７からなる二管路ダクトに本発明の温度ヒューズ装置１を取り付けた状態を示す断面図である。
【００１６】
いずれの二管路ダクトにおいても、温度ヒューズ装置１の両感熱部１５，１６はそれぞれ両通風路に位置していて、図示しない防火ダンパのレバーの移動を、ケース２の蓋板３から突出したストッパピン１２の先端で阻止している。
【００１７】
図５は本発明の温度ヒューズ装置１が設置されている一例を説明するための、防火ダンパ付き二重管用ベントキャップ３０の断面図で、第１ダンパ板３１及び第２ダンパ板３２が開いている状態を示す。
【００１８】
つぎに、防火ダンパの構造を説明する。二重管２３の内管２２内の第１通風路９は、第１ダンパ板３１が回転軸３３を軸として、回転軸３３に設けられた図示しないねじりコイルバネの作用で矢印３５方向に回転すると閉鎖される。また、外管２１と内管２２との間の第２通風路１７は、円形の切り欠きを備えた第２ダンパ板３２が軸３４を中心に内管２２の外周に沿って矢印３６方向に回転すると、外管２１の端部で閉鎖される。
【００１９】
そして、第１ダンパ板３１の回転軸３３の上端に固定された第１リンク３７は、温度ヒューズ装置１のストッパピン１２の上端とレバー２０で係合されているので、前記ねじりコイルばねの付勢力による回転が拘束されている。また、第１リンク３７は第２リンク３８で第２ダンパ板３２と連結されている。
【００２０】
そこで、第１通風路９又は第２通風路１７の通気の温度が設定温度以上となり、温度ヒューズ装置１のストッパピン１２の上端が上蓋３内に埋没すると、レバー２０による拘束が解除されるので、第１リンク３７及び回転軸３３はねじりコイルはねの付勢力により回転して、第１ダンパ板３１で第１通風路９を閉鎖するとともに、同時に第１リンク３７に連結された第２リンク３８の移動により第２ダンパ板３２も回転して第２通風路１７を閉鎖する。
【００２１】
上述した実施態様において、外管と内管とからなる二管路ダクトに温度ヒューズ装置を取り付けるにあたり、内管に固定した場合を示したが、外管に固定してもよく、この場合外管と内管の間が第１通風路となり、内管内が第２通風路となる。
【００２２】
本発明の二管路ダクトには、一方の通風路を排気用に、他方を吸気用に使用する場合のほか、一方を厨房用などの火気使用室用の排気用、他方を浴室や便所など一般室の排気用としても使用される。なお後者の場合、防火ダンパを作動させるための感熱部の設定温度は、例えば火気室用が１２０°、一般室用が９０°となっている。
【００２３】
また、ケース２の筒下端を閉塞する係止具としてＵ字形のクリップ６を使用する例を示したが、筒下端に第２感熱部１６のパイプ部分とは隙間があるがフランジ部分を支持可能な径の貫通孔を備えたキャップを係止具として螺着してもよい。
【００２４】
なお、上述の本発明の実施の形態において、温度ヒューズ装置のケースが円筒状の場合を示したが、角筒状としても本発明は実施可能である。
【００２５】
【発明の効果】
本発明の温度ヒューズ装置は上記のように構成されているので以下のような効果を奏する。それぞれの通風路に感熱部が設けられていて、それぞれの通風路ごとにダンパが閉塞する通気温度を設定することができるから、不必要なダンパ閉塞を防ぎ、適切な通気温度で早期にダンパを閉塞することが可能となる。
【００２６】
また、いずれか一方の通風路の通気がその通風路にあらかじめ設定された温度以上になったとき、直ちに両通風路の防火ダンパを作動させることができるので、火災の延焼や拡大を早期に防ぐことができる。
【００２７】
さらに、１個の温度ヒューズ装置で両通風路のダンパの閉塞を制御できるから、それぞれのダンパの同時作動機構が簡単かつ確実になるとともに、通風路の通気抵抗を最小限に抑えることができる。また、係止具の着脱で温度ヒューズ装置の分解、組立が可能であるから、保守点検が容易となる。
【図面の簡単な説明】
【図１】本発明の温度ヒューズ装置の縦断面図である。
【図２】低融点合金が溶解した状態を示す温度ヒューズ装置の断面図である。
【図３】二重管で構成された二管路ダクトに本発明の温度ヒューズ装置を取り付けた状態を示す断面図である。
【図４】二孔管からなる二管路ダクトに本発明の温度ヒューズ装置を取り付けた状態を示す断面図である。
【図５】本発明の温度ヒューズ装置が設置されている一例を説明するための防火ダンパ付き二重管用ベントキャップの断面図である。
【符号の説明】
１は温度ヒューズ装置、２はケース、３は上蓋、４は貫通孔、５は切り込み、６はＵ字形クリップ、７は切り欠き、８は取り付け部、９は第１通風路、１０はヒューズ押さえ、１１は押圧部、１２はストッパピン、１４はヒューズシャフト、１５は第１感熱部、１６は第２感熱部、１７は第２通風路、１８は圧縮コイルばね、１９は低融点合金、２０はレバー、２１は外管、２２は内管、２３は二重管、２４は仕切板、２５は通風路、２６は通風路、２７は二孔管、３０は二重管ダクト用ベントキャップ、３１は第１ダンパ板、３２は第２ダンパ板、３３は回転軸、３４は軸、３５は矢印、３６は矢印、３７は第１リンク、３８は第２リンク、である。
【図１】
0003757372.tif 000002
【図２】
0003757372.tif 000003
【図３】
0003757372.tif 000004
【図４】
0003757372.tif 000005
【図５】
0003757372.tif 000006